(57)【要約】【課題】溶接構造の一体型となる鋼製開閉弁を用い、管路に対する開閉弁の取付け及び開閉弁への分岐管の接続を、全て溶接により行うことで、耐震性の向上が図れ、ガス供給管の信頼性を向上させることができる活管分岐バルブ工法を提供する。【解決手段】ガス管路１に対して分岐管を接続せんとする位置に、弁本体１１が溶接構造の一体型となる鋼製開閉弁１２を溶接によって取付け、この鋼製開閉弁１２を開弁した状態で鋼製開閉弁１２内に挿入した穿孔機６でガス管路１を穿孔し、穿孔後に穿孔機６を抜き取って鋼製開閉弁１２を閉弁し、この鋼製開閉弁１２に分岐管を接続する。【選択図】  図３
2004169891.tif 000002
【特許請求の範囲】
【請求項１】
管路に対して分岐管を接続せんとする位置に、弁本体が溶接構造の一体型となる鋼製開閉弁を溶接によって取付け、この鋼製開閉弁を開弁した状態で鋼製開閉弁内に挿入した穿孔機で管路を穿孔し、穿孔後に穿孔機を抜き取って開閉弁に分岐管を接続する活管分岐バルブ工法。
【請求項２】
上記管路に対する鋼製開閉弁の取付けが、管路に外嵌する二つ割りのチーズを用い、一方チーズを鋼製開閉弁の取付け側端部に予め溶接しておき、この二つ割りのチーズを管路に外嵌し、両チーズの突き合わせ縁及び両端部を管路に溶接することにより固定する請求項１に記載の活管分岐バルブ工法。
【発明の詳細な説明】
【０００１】
【発明の属する技術分野】
この発明は、既存の管路に対して、管路内の流体を止めることなく分岐管を接続するための活管分岐バルブ工法に関する。
【０００２】
【従来の技術】
例えば、ガス管路に対して分岐管を接続する場合、ガス管路内の圧力を減圧して工事を行う方法は、ガスの供給を確保するうえで工事時期や時間について大きな制約を受け、また、ガバナーやバルブ等の圧力調整作業に多くの人員を要するという問題がある。
【０００３】
このため、管路内のガスを減圧したり止めることなく分岐管を接続する工事ができる活管分岐バルブ工法がすでに提案されている。
【０００４】
従来の活管分岐バルブ工法の一例としては、図７に示すように、ガス管路１の分岐管を接続せんとする位置に分岐枝管２を溶接し、この分岐枝管２の端部に開閉弁３の一端側をボルト４を用いたフランジ継手５によって取付け、開閉弁３を開弁した状態で開閉弁３内に穿孔機６を挿入し、この穿孔機６の先端刃物７をガス管路１に押し当てた状態で回転させ、ガス管路１の分岐枝管２を溶接した部分を穿孔し、穿孔後に開閉弁３から穿孔機６を抜き取ってこの開閉弁３を閉弁させ、その後、開閉弁３をそのまま残し、この開閉弁３の他端側に分岐管をボルトを用いたフランジ継手によって接続するようになっている。
【０００５】
【発明が解決しようとする課題】
ところで、上記のような、ガス管路１に対する開閉弁３の取付け及び開閉弁３への分岐管の接続を行うために採用しているフランジ継手５は、ボルトを用いて結合するため、強度の点からみて鋼管を用いたガス管路１より劣ることになり、地震等で荷重がかかったような場合、フランジ継手５の部分からガスの漏洩が発生するかも知れないという危惧があった。
【０００６】
そこで、この発明の課題は、開閉弁に弁本体が溶接構造の一体型となる鋼製開閉弁を用い、管路に対する開閉弁の取付け及び開閉弁への分岐管の接続を、全て溶接により行うことで、全ての接合部が鋼管と同等以上の強度を有することで、耐震性の向上が図れ、ガス供給管の信頼性を向上させることができる活管分岐バルブ工法を提供することにある。
【０００７】
【課題を解決するための手段】
上記のような課題を解決するため、この発明は、管路に対して分岐管を接続せんとする位置に、弁本体が溶接構造の一体型となる鋼製開閉弁を溶接によって取付け、この鋼製開閉弁を開弁した状態で鋼製開閉弁内に挿入した穿孔機で管路を穿孔し、穿孔後に穿孔機を抜き取って開閉弁に分岐管を接続する構成を採用したものである。
【０００８】
上記管路に対する鋼製開閉弁の取付けは、管路に外嵌する半円筒状の二つ割りの鋼製チーズを用い、一方チーズを鋼製開閉弁の取付け側端部に予め溶接しておき、この二つ割りのチーズを管路に外嵌し、両チーズの突き合わせ縁及び両端部を管路に溶接することにより固定する。
【０００９】
このように、管路に対する鋼製開閉弁の取付け及び鋼製開閉弁への分岐管の接続を全て溶接によって行うと、全ての接合部が鋼管と同等以上の強度を有することになり、耐震性の向上が図れるとともに、鋼製開閉弁をそのまま分岐バルブとして使用することができる。
【００１０】
【発明の実施の形態】
以下、この発明の実施の形態を図示例と共に説明する。
【００１１】
図示のように、この発明の活管分岐バルブ工法は、弁本体１１が溶接構造の一体型となる鋼製開閉弁１２を用い、この鋼製開閉弁１２をガス管路１に鋼製チーズ１３を用いて溶接により取付け、鋼製開閉弁１２を開弁した状態で鋼製開閉弁１２内に穿孔機６を挿入し、この穿孔機６でガス管路１を穿孔し、この後、穿孔機６を鋼製開閉弁１２から抜き取り、鋼製開閉弁１２を閉弁した状態で鋼製開閉弁１２に分岐管を接続するものである。
【００１２】
図１乃至図３は、鋼製開閉弁１２にスチールボール弁を用いた例であり、その弁本体１１が鋼管を用いた溶接構造の一体型となり、弁本体１１の内部に収納したボール弁体１４を外部から操作軸１５で回動させることにより、流路を開閉すると共に、弁本体１１の両側にガス管路１と略同径となる接続筒１６、１７が同軸心状となるよう一体に設けられている。
【００１３】
上記鋼製開閉弁１２をガス管路１に取付ける鋼製チーズ１３は、ガス管路１に外嵌する半円筒状の二つ割り構造となり、一方のチーズ１３ａは弁本体１１の一方接続筒１６の端部に継筒１８を介して溶接により固定され、他方のチーズ１３ｂは現場においてガス管路１に外嵌するものであり、弁本体１１に予め固定する一方のチーズ１３ａには、継筒１８の内径に見合う孔１９が予め設けてある。
【００１４】
また、穿孔機６は、鋼製開閉弁１２の内部に他方接続筒１７から挿入する保持筒８の内部に回転軸９を収納し、保持筒８の先端に突出する回転軸９に、ボール弁体１４と接続筒１６、継筒１８内を通過可能な外径の刃物７を取付け、保持筒８の後端に設けたハンドル１０で回転軸９を介して刃物７を回転させるようになっている。
【００１５】
図４乃至図６は、鋼製開閉弁１２に弁体１４ａが円筒状となるスチール弁を用いた例であり、その弁本体１１が鋼管を用いた溶接構造の一体型となり、弁本体１１の内部に収納した円筒状の弁体１４ａを外部から操作軸２０で回動させることにより、流路を開閉すると共に、弁本体１１の両側に接続筒１６、１７が一体成形によって同軸心状に取付けられ、一方接続筒１６の端部に継筒１８を介して一方のチーズ１３ａが溶接により固定されている。
【００１６】
なお、何れの鋼製開閉弁１２においても、ブリード管２１や放散管２２等が取り付けられた例を示している。
【００１７】
次に、この発明の活管分岐バルブ工法を説明する。
【００１８】
一方接続筒１６の端部に継筒１８を介して一方のチーズ１３ａが溶接により固定された鋼製開閉弁１２と、穿孔機６を用意し、地中を掘削してガス管路１の分岐管を接続せんとする位置を露出させ、活管状態のガス管路１に対して分岐管の取り出し側に鋼製開閉弁１２を配置し、この鋼製開閉弁１２に予め固定した一方のチーズ１３ａをガス管路１の外面に外接し、ガス管路１の残りの外面に他方のチーズ１３ｂを外接し、両チーズ１３ａ、１３ｂの上下突き合わせ縁と両端部をガス管路１に対して溶接２３、２４することにより、ガス管路１に対して鋼製開閉弁１２を固定する。
【００１９】
次に、鋼製開閉弁１２を開弁した状態で、この鋼製開閉弁１２内に穿孔機６を他方接続筒１７から挿入し、穿孔機６の先端刃物７をガス管路１に押し当て、ハンドル１０の操作で刃物７を回転させることで、ガス管路１の鋼製開閉弁１２を接続した位置を穿孔２５する。
【００２０】
上記ガス管路１を穿孔２５すると鋼製開閉弁１２から穿孔機６を抜き取り、鋼製開閉弁１２を閉弁してガスの流出を防ぎ、続いて鋼製開閉弁１２の他方接続筒１７に分岐管を溶接によって接続し、分岐管の端末を処理して後、鋼製開閉弁１２を開弁すれば、分岐管の接続が完了する。
【００２１】
上記のように、ガス管路１に取り付けた鋼製開閉弁１２は、弁本体１１が溶接構造の一体型となり、鋼製チーズ１３を用い、この鋼製開閉弁１２をガス管路１に溶接２３、２４で固定するので、全ての接合部がガス管路１を構成する鋼管と同等以上の強度を有することになり、地震等で荷重がかかっても接合部からのガス漏れの発生を防ぐことができ、ガス供給管の信頼性を向上させることができる。
【００２２】
また、ガス管路１の穿孔に使用した鋼製開閉弁１２は、そのまま分岐バルブとして使用することが可能であり、別途分岐バルブを設置する必要がなくなる。
【００２３】
【発明の効果】
以上のように、この発明によると、管路に対して分岐管を接続せんとする位置に、弁本体が溶接構造の一体型となる鋼製開閉弁を溶接によって取付け、この鋼製開閉弁を開弁した状態で鋼製開閉弁内に挿入した穿孔機で管路を穿孔するようにしたので、管路を活管の状態のままで、管路に対して分岐管を接続することができ、ガス管路に対する分岐管の接続に有用である。
【００２４】
また、鋼製開閉弁は、弁本体が溶接構造の一体型となり、鋼製チーズを用い、この鋼製開閉弁をガス管路に溶接で固定するので、全ての接合部がガス管路を構成する鋼管と同等以上の強度を有することになり、地震等で荷重がかかっても接合部からのガス漏れの発生を防ぐことができ、ガス供給管の信頼性を向上させることができる。
【００２５】
更に、鋼製開閉弁は、そのまま分岐バルブとして使用することが可能であり、別途分岐バルブの設置が不要になる。
【図面の簡単な説明】
【図１】鋼製開閉弁にスチールボール弁を用いた活管分岐バルブ工法のガス管路への鋼製開閉弁の取り付け状態を示す正面図
【図２】同上の平面図
【図３】鋼製開閉弁にスチールボール弁を用いた活管分岐バルブ工法の穿孔後の状態を示す要部切り欠き正面図
【図４】鋼製開閉弁に円筒弁体のスチール弁を用いた活管分岐バルブ工法のガス管路への鋼製開閉弁の取り付け状態を示す正面図
【図５】同上の平面図
【図６】鋼製開閉弁に円筒弁体のスチール弁を用いた活管分岐バルブ工法の穿孔後の状態を示す要部切り欠き正面図
【図７】従来の活管分岐バルブ工法の穿孔前の状態を示す要部切り欠き正面図
【符号の説明】
１  ガス管路
６  穿孔機
１１  弁本体
１２  鋼製開閉弁
１３  鋼製チーズ
１４  ボール弁体
１５  操作軸
１６  接続筒
１７  接続筒
１８  継筒
１９  孔
２０  操作軸
２１  ブリード管
２２  放散管
【図１】
2004169891.tif 000003
【図２】
2004169891.tif 000004
【図３】
2004169891.tif 000005
【図４】
2004169891.tif 000006
【図５】
2004169891.tif 000007
【図６】
2004169891.tif 000008
【図７】
2004169891.tif 000009